(57)【要約】【課題】検出部位に釘等の金属材が存在すると金属等の下地材に対する磁石の磁力により磁石は前進位置し、下地材が木材等であれば磁石は差込針に対する磁力により後退位置しているが下地材が金属等であると前進位置することになり、把持体の押動により差込針を壁面等の検出部位に差し込む直前において検出部位の内部に金属の存在を目視確認することができる。【解決手段】把手体１と、把手体に固定され、壁面等の検出部位Ｍに差し込み可能な差込針５と、把手体に前後摺動自在に設けられ、差込針が突没する針出穴９ｃ及び前端部に検出部位Ｍに当接可能な当接部９ｄを有するガイド体８と、ガイド体を前進摺動方向に付勢して差込針を針出穴内に没入させる弾性体１４とを備えてなり、上記ガイド体の先端部内に上記差込針の通過穴１１ａをもつ磁石１１を前後摺動自在に内装すると共に磁石をガイド体の外から視認可能に設けてなる。【選択図】        図１
2005010051.tif 000002
【特許請求の範囲】
【請求項１】
把手体と、該把手体に固定され、壁面等の検出部位に差し込み可能な差込針と、該把手体に前後摺動自在に設けられ、該差込針が突没する針出穴及び前端部に該検出部位に当接可能な当接部を有するガイド体と、該ガイド体を前進摺動方向に付勢して該差込針を該針出穴内に没入させる弾性体とを備えてなり、上記ガイド体の先端部内に上記差込針の通過穴をもつ磁石を前後摺動自在に内装すると共に該磁石を該ガイド体の外から視認可能に設けてなることを特徴とする下地材検出具。
【請求項２】
上記磁石は上記差込針に対する磁力により後退位置するように設けられていることを特徴とする請求項１記載の下地材検出具。
【請求項３】
上記ガイド体は、有底筒状の外ガイド体と、該外ガイド体内に嵌着される有底筒状の内ガイド体とからなり、該外ガイド体の前端部の底壁に上記針出穴及び当接部が設けられ、該外ガイド体の底壁と内ガイド体の前端部の底壁との間に上記磁石を前後摺動自在に内装可能な磁石収納部を形成すると共に該内ガイド体の底壁に針通穴を形成してなることを特徴とする請求項１又は２記載の下地材検出具。
【請求項４】
上記針出穴と上記針通穴との間に上記通過穴を貫通する針ガイド筒を架設してなることを特徴とする請求項３記載の下地材検出具。
【請求項５】
上記外ガイド体の内周面と内ガイド体の外周面との間に上記差込針の差し込み深さを表示する深さ目盛を設けてなることを特徴とする請求項１〜４のいずれか１項に記載の下地材検出具。
【請求項６】
上記把手体に周方向にロック位置又は解除位置に往復角度回動自在に設けられた切替部材と、該切替部材の回動操作により上記ガイド体の後退摺動を阻止する解除可能なロック機構とを備えてなることを特徴とする請求項１〜５のいずれか１項に記載の下地材検出具。
【発明の詳細な説明】
【０００１】
【発明の属する技術分野】
本発明は例えば石膏ボード、ベニヤ板等からなる家屋の壁や天井等の内方に存在する下地材の検出に用いられる下地材検出具に関するものである。
【０００２】
【従来の技術】
【０００３】
【特許文献１】
特許第２５２４３６９号
【特許文献２】
特許第２９８６４６１号
【０００４】
従来この種の下地材検出具として、把手体と、該把手体に固定され、壁面等の検出部位に差し込み可能な差込針と、該該把手体に前後摺動自在に設けられ、該差込針が突没する針出穴及び前端部に該検出部位に当接可能な当接部を有するガイド体と、該ガイド体を前進摺動方向に付勢して該差込針を該針出穴内に没入させる弾性体とからなり、前者の構造においては、上記把持体に基端部に取付筒体を嵌着し、取付筒体内に磁石を揺動自在に設けてなり、又、後者の構造においては、上記把手体又は上記ガイド体に嵌挿可能なキャップに形成された収納室内に磁石を傾斜と垂直の何れかの姿勢を取り得るように収納し、この収納室を磁石が見える材質で形成してなる構造のものが知られている。
【０００５】
しかして、上記両構造において、把手体を手で把持し、ガイド体の当接部を検出部位としての石膏ボード等の壁面等に当接し、把手体を把持したまま壁面等に向けて把手体を押すと、ガイド体は弾性体としてのバネ部材に抗して把手体内に後退摺動し、これにより差込針は針出穴から露呈突出し、更なる把手体の押動により差込針は壁面等の検出部位に差し込まれ、下地材が無い部位においては、差込針は壁面等を貫通し、又、下地材がある部位においては、検出部位Ｍとしての壁面等を貫通した後に差込針は下地材に突き刺さり、それ以上は差し込みが不能となり、このような差込針の壁面等への差し込みに伴う差し込み抵抗の変化を手応えで感得したり、差込針の差し込み停止位置をガイド体の没入位置をもって目視確認することによって下地材の有無を認識するようにしたものである。
【０００６】
又、前者の構造においては、把手体を持ち替えて、取付筒体の先端部を壁面等に近接すると、下地材が磁着可能な金属であったり、壁面等内に釘等が存在する部位においては磁石が立設揺動し、下地材が非磁着可能な材質であったり、壁面等内に釘等が存在しない部位においては磁石が傾斜揺動位置し、この磁石の立設又は傾斜の姿勢の動きにより金属の存在箇所を知ることになる。
【０００７】
又、後者の構造においては、把手体を持ち替えて、把手体の基端部を壁面等に近接すると、下地材が磁着可能な金属であったり、壁面等内に釘等が存在する部位においては磁石が傾斜姿勢から垂直姿勢になり、下地材が非磁着可能な材質であったり、壁面等内に釘等が存在しない部位においては磁石は傾斜姿勢となり、この磁石の垂直又は傾斜の姿勢の動きにより金属の存在箇所を知ることになり、又は、上記ガイド体にキャップを嵌挿し、このキャップを壁面等に近接すると、下地材が磁着可能な金属であったり、壁面等内に釘等が存在する部位においては磁石が傾斜姿勢から垂直姿勢になり、下地材が非磁着可能な材質であったり、壁面等内に釘等が存在しない部位においては磁石は傾斜姿勢となり、この磁石の垂直又は傾斜の姿勢の動きにより磁着可能な金属の存在箇所を知ることになる。
【０００８】
【発明が解決しようとする課題】
しかしながら上記従来構造の場合、前者の構造にあっては、上記金属の存在箇所を検出する際には、把手体を持ち替えなければならず、又、後者の構造にあっては、同じく、把手体を持ち替えなければならなかったり、ガイド体にキャップを嵌挿しなければならず、それだけ検出作業性が低下することがあるという不都合を有している。
【０００９】
【課題を解決するための手段】
本発明はこのような課題を解決することを目的とするもので、本発明のうち、請求項１記載の発明は、把手体と、該把手体に固定され、壁面等の検出部位に差し込み可能な差込針と、該把手体に前後摺動自在に設けられ、該差込針が突没する針出穴及び前端部に該検出部位に当接可能な当接部を有するガイド体と、該ガイド体を前進摺動方向に付勢して該差込針を該針出穴内に没入させる弾性体とを備えてなり、上記ガイド体の先端部内に上記差込針の通過穴をもつ磁石を前後摺動自在に内装すると共に該磁石を該ガイド体の外から視認可能に設けてなることを特徴とする下地材検出具にある。
【００１０】
又、請求項２記載の発明は、上記磁石は上記差込針に対する磁力により後退位置するように設けられていることを特徴とするものであり、又、請求項３記載の発明は、上記ガイド体は、有底筒状の外ガイド体と、該外ガイド体内に嵌着される有底筒状の内ガイド体とからなり、該外ガイド体の前端部の底壁に上記針出穴及び当接部が設けられ、該外ガイド体の底壁と内ガイド体の前端部の底壁との間に上記磁石を前後摺動自在に内装可能な磁石収納部を形成すると共に該内ガイド体の底壁に針通穴を形成してなるものであり、又、請求項４記載の発明は、上記針出穴と上記針通穴との間に上記通過穴を貫通する針ガイド筒を架設してなることを特徴とするものである。
【００１１】
又、請求項５記載の発明は、上記外ガイド体の内周面と内ガイド体の外周面との間に上記差込針の差し込み深さを表示する深さ目盛を設けてなることを特徴とするものであり、又、請求項６記載の発明は、上記把手体に周方向にロック位置又は解除位置に往復角度回動自在に設けられた切替部材と、該切替部材の回動操作により上記ガイド体の後退摺動を阻止する解除可能なロック機構とを備えてなることを特徴とするものである。
【００１２】
【発明の実施の形態】
図１乃至図１５は本発明の実施の形態例であって、１は把手体であって、この場合、合成樹脂により製作され、この場合、把手体１は、後部の把手部材２、中程部の案内部材３及び前部の規制部材４の相互に着脱自在な三部材からなり、この把手部材２と案内部材３とは螺着部２ａ・３ａにより螺着結合され、又、案内部材３に二個の係止溝３ｂを形成し、規制部材４に二個の係止爪４ａを形成し、この係止溝３ｂに係止爪４ａとの弾性係合により案内部材３と規制部材４とを結合するように構成している。
【００１３】
５は差込針であって、ステンレス等の磁着可能な金属線材からなり、基部をＬ状の折曲部５ａに形成すると共に先端部を壁面等の検出部位Ｍに差し込み可能な鋭利部５ｂに形成し、この場合、差込針５の折曲部５ａを一対の保持部材６・７内面６ａ及び外面７ａにより挟着保持すると共に保持部材６・７の鍔部６ｂ・７ｂを把手部材２と案内部材３との螺着固定により挟着して差込針５を把手体１に固定され、又、把手部材２と案内部材３との分離により保持部材６・７を分離して差込針５を着脱交換するように構成している。
【００１４】
８はガイド体であって、合成樹脂により製作され、上記把手体１に前後摺動自在に設けられ、この場合、ガイド体８は、有底筒状の外ガイド体９と、外ガイド体９内に一体に嵌着される有底筒状の内ガイド体１０とからなり、外ガイド体９の外周面に二個のガイド突条９ａを形成すると共に案内部材３の内周面にガイド突条９ａに摺動係合可能な二個のガイド凹条３ｃを形成し、ガイド突条９ａとガイド凹条３ｃとによりガイド体８を回り止め状態で前後摺動自在に設け、外ガイド体９の前端部の底壁９ｂに差込針５が突没する針出穴９ｃ及び検出部位Ｍに当接可能な平坦面状の当接部９ｄを設け、外ガイド体９の底壁９ｂと内ガイド体１０の前端部の底壁１０ａとの間に上記差込針５の通過穴１１ａをもつ磁石１１を前後摺動自在に内装可能な磁石収納部１２を形成すると共に内ガイド体１０の底壁１０ａに針通穴１０ｂを形成し、ガイド体８としての外ガイド体９及び内ガイド体１０を透明合成樹脂により製作することにより磁石１１をガイド体８の外から視認可能に設けて構成している。又、この場合、図１３の如く、ガイド体８の前進位置においては、磁石１１は差込針５に対する磁力により後退位置し、検出部位Ｍに金属等が存在すると、金属等に対する磁力により磁石１１は前進位置することになる。尚、この場合、磁石１１は差込針５に対する磁力により後退位置する構造となっているが、差込針及び又は他の部材により後退位置させる構造とすることもある。又、ガイド体８の磁石収納部１２に対応する部分においてのみ外から磁石１１が視認し得る構造とすることもある。
【００１５】
又、この場合、上記針出穴９ｃと上記針通穴１０ｂとの間に上記通過穴１１ａを貫通する黄銅管からなる針ガイド筒１３を架設し、かつ、針通穴１０ｂの入口内面をテーパー面１０ｃに形成し、内ガイド体１０の内周面にバネガイド突部１０ｄを四個形成している。
【００１６】
１４は弾性体であって、この場合圧縮バネからなり、上記保持部材６とガイド体８の内ガイド体１０の後端面との間に架設され、ガイド体８を前進摺動方向に弾圧付勢して差込針５を針出穴９ｃ内に没入させるように構成している。
【００１７】
１５はロック機構であって、上記把手体１に周方向にロック位置Ｌ又は解除位置Ｆに往復角度回動自在に設けられた切替部材１６を備えてなり、切替部材１６の回動操作によりガイド体８の後退摺動を阻止するように構成している。
【００１８】
この場合、ロック機構１５として、上記案内部材３の外周面に上記切替部材１６を嵌装すると共に規制部材４と案内部材３とにより切替部材１６を挟んで切替部材１６を往復角度回動自在に設け、切替部材１６の内周面にガイド突条９ａに摺動係合可能な二個のガイド凹条１６ａを形成し、ガイド突条９ａとガイド凹条３ｃ及びガイド凹条１６ａとによりガイド体８を回り止め状態で前後摺動自在に設け、切替部材１６の内周面に係止突部１６ｂを形成し、ガイド体８の外ガイド体９の後部外周面に係止突部１６ｂに当接可能な後退阻止面１７ａ及び突出規制面１７ｂをもつＬ形状の阻止凸部１７を形成し、把手体１としての規制部材４の表面に三角マーク状の指標４ｂを隆起形成し、切替部材１１の表面にロック位置Ｌ又は解除位置Ｆの四角状の表示部１１ｂ・１１ｃをＬＯＣＫ及びＦＲＥＥの英文字と共に隆起形成し、図２、図３及び図４の如く、切替部材１６の解除位置Ｆにおいて、係止突部１６ｂと後退阻止面１７ａとは当接しないので、ガイド体８は突出規制面１７ｂと規制部材４の内側面とが当接した前進限位置から後退することができ、一方、図５及び図６の如く、ガイド体８の前進位置で切替部材１６をロック位置Ｌに回動した状態において、ガイド体８を後退動作させようとすると、係止突部１６ｂと後退阻止面１７ａとが当接し、よって、ガイド体８の後退摺動を不能とし、従って、切替部材１６の往復角度回動操作により上記ガイド体８の後退摺動を阻止又は解除するように構成している。
【００１９】
１８は深さ目盛であって、この場合、表示シート１９に印刷形成され、図１１の如く、深さ目盛１８に対する指標が規制部材４の前端面４ｃとなっており、ガイド体８の前進限位置におけるガイド体８の前端面としての当接部９ｄからの差込針５の先端部の没入距離を考慮して、０、３ｍｍ、６ｍｍ、９ｍｍ、１２ｍｍ、１５ｍｍ、１８ｍｍ、２１ｍｍ、２４ｍｍ、２７ｍｍ、３０ｍｍを示す壁厚寸法目盛が印刷され、この表示シート１９を内ガイド体１０の外周面に貼着して外ガイド体９の内周面と内ガイド体１０の外周面との間に深さ目盛１８を設け、しかして、ガイド体８の後退時において、把手体１としての規制部材４の前端面４ａと深さ目盛１９との合致位置を目視し、当接部９ｄからの差込針５の突出長さや壁材Ｗの厚さＴを読み取るように構成している。
【００２０】
この実施の形態例は上記構成であるから、下地材Ｓの検出に際しては、図１４、図１５の如く、把手体１を手で把持し、ガイド体８の当接部９ｄを検出部位Ｍとしての石膏ボード等の壁面等に当接し、把持体１を把持したまま壁面等に向けて把手体１を押すと、ガイド体８は弾性体１４としてのバネ部材に抗して把持体１内に後退摺動し、これにより差込針５は針出穴９ｃから露呈突出し、更なる把持体１の押動により差込針５は壁面等の検出部位Ｍに差し込まれ、下地材Ｓが無い部位においては、図１５の如く、差込針５は壁面等を貫通し、又、下地材がある部位においては、図１４の如く、検出部位Ｍとしての壁面等を貫通した後に差込針は下地材Ｓに突き刺さり、それ以上は差し込みが不能となり、このような差込針５の壁面等への差し込みに伴う差し込み抵抗の変化を手応えで感得したり、差込針の差し込み停止位置をガイド体８の把手体１内への没入位置をもって目視確認することによって、下地材Ｓの有無を認識することになり、この際、上記ガイド体８の先端部内に上記差込針５の通過穴１１ａをもつ磁石１１を前後摺動自在に内装すると共に磁石１１をガイド体９の外から視認可能に設けているから、例えば、下地材Ｓが木材等以外の金属形鋼であったり、検出部位Ｍに釘等の金属材が存在すると、図１２の如く、金属等の下地材Ｓに対する磁石１１の磁力により磁石１１は前進位置し、即ち、図１３の如く、下地材Ｓが木材等であれば、磁石１１は差込針５に対する磁力により後退位置しているが、下地材Ｓが金属等であると、図１２の如く、前進位置することになり、このため、把持体１の押動により差込針５を壁面等の検出部位Ｍに差し込む直前において、検出部位Ｍの内部に金属の存在を目視確認することができ、金属の存在による差込針５の損傷や折損を未然に防止することができ、検出部位Ｍの内部に金属の存在がないときには、そのまま把持体１の押動により差込針５を壁面等の検出部位Ｍに差し込むことにより下地材Ｓの有無を認識することができ、検出部位Ｍの内部の金属の有無を確認した上でそのままの一連の連続動作で下地材Ｓの有無を確認することができ、差込針５の損傷や折損を未然に防止した状態において下地材Ｓの検出作業性を向上することができる。
【００２１】
又、この場合、上記磁石１１は上記差込針５に対する磁力により後退位置するように設けられているから、磁石１１を後退させる構造を簡素化することができ、又、この場合、上記ガイド体８は、有底筒状の外ガイド体９と、外ガイド体９内に嵌着される有底筒状の内ガイド体１０とからなり、外ガイド体９の前端部の底壁９ｂに上記針出穴９ｃ及び当接部９ｄが設けられ、外ガイド体９の底壁９ｂと内ガイド体１０の前端部の底壁１０ａとの間に上記磁石１１を前後摺動自在に内装可能な磁石収納部１２を形成すると共に内ガイド体１０の底壁１０ａに針通穴１０ｂを形成してなるから、ガイド体８の先端部に磁石収納部１２を容易に設けることができ、又、この場合、上記針出穴９ｃと上記針通穴１０ｂとの間に上記通過穴１０ｂを貫通する針ガイド筒１３を架設してなるから、針ガイド筒１３により差込針５の前後摺動を案内することができると共に針出穴９ｃからの把手体１内部への塵埃の進入を防ぐことができる。
【００２２】
又、この場合、上記外ガイド体９の内周面と内ガイド体１０の外周面との間に上記差込針５の差し込み深さを表示する深さ目盛１８を設けてなるから、例えば、図１４の如く、差込針５が下地材Ｓに突き刺さった場合には壁材の厚さＴを読み取ることができ、壁材の厚さを知ることにより、例えば、厚さにより異なる壁材の単価を知って室内リフォームの見積費用に活用して正確に費用を算出したり、釘、ネジ釘、ヒートン等の吊下材の必要長さを知ることもでき、従って、壁厚測定具としての用途に用いることもでき、使用の融通性を高めることができると共に外ガイド体９の内周面と内ガイド体１０の外周面との間に深さ目盛１８が設けられているので、深さ目盛１８の消損や損傷を防ぐことができ、又、この場合、上記把手体１に周方向にロック位置Ｌ又は解除位置Ｆに往復角度回動自在に設けられた切替部材１６と、切替部材１６の回動操作により上記ガイド体８の後退摺動を阻止する解除可能なロック機構１５とを備えてなるから、切替部材１６の往復角度回動操作により、使用時又は不使用時において、ガイド体８の後退摺動を許容又は阻止することができ、不使用時において、作業者が、誤って、ガイド体８を後退させようとしたり、外部に衝突してガイド体８が後退されようとしても、ロック機構１５によりガイド体の後退摺動が阻止され、差込針５が針出穴９ｃから露呈突出することを防止することができ、使用の危険性を回避して安全性を高めることができると共に切替部材１６の周方向の往復角度回動操作のみによりロック及び解除操作を行うことができ、検出作業性を向上することができる。
【００２３】
尚、本発明は上記実施の形態例で示す構造に限られるものではなく、例えば把手体１、把手部材２、案内部材３、規制部材４の形態や構造、ガイド体８、ロック機構１５の構造等は適宜変更して設計される。
【００２４】
【発明の効果】
本発明は上述の如く、請求項１記載の発明にあっては、下地材の検出に際しては、把手体を手で把持し、ガイド体の当接部を検出部位としての石膏ボード等の壁面等に当接し、把持体を把持したまま壁面等に向けて把手体を押すと、ガイド体は弾性体に抗して把持体内に後退摺動し、これにより差込針は針出穴から露呈突出し、更なる把持体の押動により差込針は壁面等の検出部位に差し込まれ、下地材が無い部位においては、差込針は壁面等を貫通し、又、下地材がある部位においては、検出部位としての壁面等を貫通した後に差込針は下地材に突き刺さり、それ以上は差し込みが不能となり、このような差込針の壁面等への差し込みに伴う差し込み抵抗の変化を手応えで感得したり、差込針の差し込み停止位置をガイド体の把手体内への没入位置をもって目視確認することによって、下地材の有無を認識することになり、この際、上記ガイド体の先端部内に上記差込針の通過穴をもつ磁石を前後摺動自在に内装すると共に磁石をガイド体の外から視認可能に設けているから、例えば、下地材が木材等以外の金属形鋼であったり、検出部位に釘等の金属材が存在すると、下地材等の金属に対する磁石の磁力により磁石は前進位置し、即ち、下地材が木材等であれば、磁石は後退位置しているが、下地材等の金属等があると、前進位置することになり、このため、把持体の押動により差込針を壁面等の検出部位に差し込む直前において、検出部位の内部に金属の存在を目視確認することができ、金属の存在による差込針の損傷や折損を未然に防止することができ、検出部位の内部に金属の存在がないときには、そのまま把持体の押動により差込針を壁面等の検出部位に差し込むことにより下地材の有無を認識することができ、検出部位の内部の金属の有無を確認した上でそのままの一連の連続動作で下地材の有無を確認することができ、差込針の損傷や折損を未然に防止した状態において下地材の検出作業性を向上することができる。
【００２５】
又、請求項２記載の発明にあっては、上記磁石は上記差込針に対する磁力により後退位置するように設けられているから、磁石を後退させる構造を簡素化することができ、又、請求項３記載の発明にあっては、上記ガイド体は、有底筒状の外ガイド体と、外ガイド体内に嵌着される有底筒状の内ガイド体とからなり、外ガイド体の前端部の底壁に上記針出穴及び当接部が設けられ、外ガイド体の底壁と内ガイド体の前端部の底壁との間に上記磁石を前後摺動自在に内装可能な磁石収納部を形成すると共に内ガイド体の底壁に針通穴を形成してなるから、ガイド体の先端部に磁石収納部を容易に設けることができ、又、請求項４記載の発明にあっては、上記針出穴と上記針通穴との間に上記通過穴を貫通する針ガイド筒を架設してなるから、針ガイド筒により差込針の前後摺動を案内することができると共に針出穴からの把手体内部への塵埃の進入を防ぐことができる。
【００２６】
又、請求項５記載の発明にあっては、上記外ガイド体の内周面と内ガイド体の外周面との間に上記差込針の差し込み深さを表示する深さ目盛を設けてなるから、差込針が下地材に突き刺さった場合には壁材の厚さを読み取ることができ、壁材の厚さを知ることにより、例えば、厚さにより異なる壁材の単価を知って室内リフォームの見積費用に活用して正確に費用を算出したり、釘、ネジ釘、ヒートン等の吊下材の必要長さを知ることもでき、従って、壁厚測定具としての用途に用いることもでき、使用の融通性を高めることができると共に外ガイド体の内周面と内ガイド体の外周面との間に深さ目盛が設けられているので、深さ目盛の消損や損傷を防ぐことができ、又、請求項６記載の発明にあっては、上記把手体に周方向にロック位置又は解除位置に往復角度回動自在に設けられた切替部材と、切替部材の回動操作により上記ガイド体の後退摺動を阻止する解除可能なロック機構とを備えてなるから、切替部材の往復角度回動操作により、使用時又は不使用時において、ガイド体の後退摺動を許容又は阻止することができ、不使用時において、作業者が、誤って、ガイド体を後退させようとしたり、外部に衝突してガイド体が後退されようとしても、ロック機構によりガイド体の後退摺動が阻止され、差込針が針出穴から露呈突出することを防止することができ、使用の危険性を回避して安全性を高めることができると共に切替部材の周方向の往復角度回動操作のみによりロック及び解除操作を行うことができ、検出作業性を向上することができる。
【００２７】
以上、所期の目的を充分達成することができる。
【図面の簡単な説明】
【図１】本発明の実施の形態例の全体斜視図である。
【図２】本発明の実施の形態例の部分断面図である。
【図３】本発明の実施の形態例の部分断面図である。
【図４】本発明の実施の形態例の部分横断面図である。
【図５】本発明の実施の形態例の断面図である。
【図６】本発明の実施の形態例の横断面図である。
【図７】本発明の実施の形態例の部分横断面図である。
【図８】本発明の実施の形態例の分解斜視図である。
【図９】本発明の実施の形態例の分解斜視図である。
【図１０】本発明の実施の形態例の分解斜視図である。
【図１１】本発明の実施の形態例の部分拡大正面図である。
【図１２】本発明の実施の形態例の使用状態の部分断面図である。
【図１３】本発明の実施の形態例の使用状態の部分断面図である。
【図１４】本発明の実施の形態例の使用状態の側面図である。
【図１５】本発明の実施の形態例の使用状態の側面図である。
【符号の説明】
Ｍ  検出部位
Ｓ  下地材
Ｌ  ロック位置
Ｆ  解除位置
１  把手体
５  差込針
８  ガイド体
９  外ガイド体
９ｃ  針出穴
９ｄ  当接部
１０  内ガイド体
１１  磁石
１１ａ  通過穴
１２  磁石収納部
１３  針ガイド筒
１４  弾性体
１５  ロック機構
１６  切替部材
１８  深さ目盛
【図１】
2005010051.tif 000003
【図２】
2005010051.tif 000004
【図３】
2005010051.tif 000005
【図４】
2005010051.tif 000006
【図５】
2005010051.tif 000007
【図６】
2005010051.tif 000008
【図７】
2005010051.tif 000009
【図８】
2005010051.tif 000010
【図９】
2005010051.tif 000011
【図１０】
2005010051.tif 000012
【図１１】
2005010051.tif 000013
【図１２】
2005010051.tif 000014
【図１３】
2005010051.tif 000015
【図１４】
2005010051.tif 000016
【図１５】
2005010051.tif 000017